(57)【要約】【課題】鍔部と壁面との間に防水処理を確実に施して鍔付きスリーブを壁に形成された貫通孔に挿入して固定できる鍔付きスリーブ、鍔付きスリーブの固定構造および方法を提供する。【解決手段】鍔付きスリーブ１を、壁１０に形成された貫通孔１１に挿入される筒部２と、貫通孔１１の周囲の壁面１０ｃに固定される鍔部３とを備え、鍔部３に、コーキング材Ｋが充填される凹溝状のポケット部４を周方向に沿って設けた構成とする。そして、ポケット部４にコーキング材Ｋを充填しておき、鍔付きスリーブ１を外装材１３に形成されている孔１４から挿入して、その筒部２を壁１０に形成されている貫通孔１１に挿入するとともに、前記鍔部３を貫通孔１１の周囲の壁面１０ｃに固定して、前記コーキング材Ｋを壁面１０ｃに水密に密着させる。【選択図】        図４
2005009561.tif 000002
【特許請求の範囲】
【請求項１】
壁に形成された貫通孔に挿入される筒部と、この筒部の外周部に設けられ、前記貫通孔の周囲の壁面に固定される鍔部とを備えた鍔付きスリーブであって、
前記鍔部の前記壁面に固定される部位には、コーキング材が充填される凹溝状のポケット部が前記鍔部の周方向に沿って設けられていることを特徴とする鍔付きスリーブ。
【請求項２】
請求項１に記載の鍔付きスリーブにおいて、
前記ポケット部の外周縁部と、前記鍔部の前記壁面に固定される固定面との間には、前記筒部の軸方向において隙間が設けられていることを特徴とする鍔付きスリーブ。
【請求項３】
請求項１または２に記載の鍔付きスリーブにおいて、
前記ポケット部は、前記筒部から前記鍔部の径方向に所定間隔離間して設けられていることを特徴とする鍔付きスリーブ。
【請求項４】
請求項１〜３のいずれか一項に記載の鍔付きスリーブにおいて、
前記筒部は、前記貫通孔に挿入される第１筒部と、この第１筒部に前記鍔部を挟んで一体的に形成された第２筒部とを備え、
前記第１筒部の外径は、前記第２筒部の外径より小さいことを特徴とする鍔付きスリーブ。
【請求項５】
請求項１〜４のいずれか一項に記載の鍔付きスリーブを壁に形成された貫通孔に挿入して固定した鍔付きスリーブの固定構造であって、
前記壁には外装材が取付けられており、この外装材には、前記貫通孔に対向してこの貫通孔より大径の孔が形成さており、
前記ポケット部にコーキング材が充填された前記鍔付きスリーブが前記孔から挿入されて、その筒部が前記貫通孔に挿入されるとともに、前記鍔部が前記貫通孔の周囲の壁面に固定されており、
前記コーキング材は、前記鍔部が前記貫通孔の周囲の壁面に固定されることによって、
前記壁面に水密に密着していることを特徴とする鍔付きスリーブの固定構造。
【請求項６】
請求項１〜４のいずれか一項に記載の鍔付きスリーブを壁に形成された貫通孔に挿入して固定する鍔付きスリーブの固定方法であって、
前記壁に外装材を取付け、この外装材に、前記貫通孔に対向してこの貫通孔より大径の孔を形成しておき、
前記鍔付きスリーブのポケット部にコーキング材を充填し、
次に、この鍔付きスリーブを前記孔から挿入して、その筒部を前記貫通孔に挿入するとともに、前記鍔部を前記貫通孔の周囲の壁面に固定して、前記コーキング材を前記壁面に水密に密着させることを特徴とする鍔付きスリーブの固定方法。
【発明の詳細な説明】
【０００１】
【発明の属する技術分野】
本発明は、住宅等の外壁に挿入固定する鍔付きスリーブ、鍔付きスリーブの固定構造および方法に関する。
【０００２】
【背景の技術】
住宅の外壁に挿入して固定する鍔付きスリーブ、鍔付きスリーブの固定構造および方法の一例として特許文献１に記載の技術が知られている。
この技術では、壁パネルに貫通孔を形成しておき、この貫通孔に鍔付きスリーブを挿入するとともに、その鍔を貫通孔周囲の壁面にビス等によって固定し、さらに、壁パネルの表面側に胴縁を介して外壁化粧部材（外装材）を取り付ける。この外装材には、前記鍔付きスリーブを挿入するための孔が形成されており、この孔と鍔付きスリーブの周囲との間には、コーキング裏当て材およびコーキング材による防水処理が施されている。
また、前記鍔部と壁面との間の防水処理は、例えば、貫通孔周囲の壁面にコーキング材を塗布したうえで、鍔部を壁面に固定することによって行う。
なお、壁パネルに固定された鍔付きスリーブには、現場で外側においては、外部フード等を取付け、内部側においてはダクト等を取付けるようになっている。鍔付きスリーブを壁パネルに取付けることによって、工場等で予め壁パネルに外装材を取付けることができ、現場での外装材の取付けを省略でき、現場で鍔付きスリーブに外部フードやダクト等を取付けることができるのである。
【０００３】
【特許文献１】
特開２０００−１２９９０３号公報
【０００４】
【発明が解決しようとする課題】
ところで、既設の住宅等の建物において、前記鍔付きスリーブの外径を大きくして、換気能力を向上させたいという要望や、リフォームによってキッチンの位置を変更したりすることに起因して、鍔付きスリーブの取付け位置を変更したいという要望がある。
このような要望に応えるためには、既設の建物において、壁パネルに形成されている貫通孔を広げたり、壁パネルに新たに貫通孔を形成するとともに、外装材に形成された孔を広げたり、外装材に新たに孔を形成し、これら貫通孔や孔に鍔付きスリーブを挿入する必要がある。
このような場合に、壁パネル（壁）の表面には、外装材が取付けられているため、壁パネルに形成された上述したような広げた貫通孔や新たに形成した貫通孔に鍔付きスリーブを挿入して固定する際に、鍔部と壁面との間の防水処理が行い難いという課題があった。
【０００５】
本発明は上記事情に鑑みてなされたものであり、壁に外装材が取付けられている場合に、鍔部と壁面との間に防水処理を確実に施して鍔付きスリーブを壁に形成された貫通孔に挿入して固定できる鍔付きスリーブ、鍔付きスリーブの固定構造および方法を提供することを課題としている。
【０００６】
【課題を解決するための手段】
上記課題を解決するために、請求項１に記載の発明は、例えば図１〜図５に示すように、壁（壁パネル）１０に形成された貫通孔１１に挿入される筒部２と、この筒部２の外周部に設けられ、貫通孔１１の周囲の壁面１０ｃに固定される鍔部３とを備えた鍔付きスリーブ１であって、
前記鍔部３の前記壁面１０ｃに固定される部位には、コーキング材Ｋが充填される凹溝状のポケット部４が鍔部３の周方向に沿って設けられていることを特徴とする。
【０００７】
請求項１に記載の発明によれば、鍔部３の壁面１０ｃに固定される部位に、コーキング材Ｋが充填される凹溝状のポケット部４が鍔部３の周方向に沿って設けられているので、このポケット部４にコーキング材Ｋを充填しておき、
この鍔付きスリーブ１を外装材１３に形成されている孔１４から挿入して、その筒部２を壁１０に形成されている貫通孔１１に挿入するとともに、前記鍔部３を貫通孔１１の周囲の壁面１０ｃに固定して、前記コーキング材Ｋを壁面１０ｃに水密に密着させることによって、壁１０に外装材１３が取付けられている場合に、鍔部３と壁面１０ｃとの間に防水処理を確実に施して鍔付きスリーブ１を壁１０に形成された貫通孔１１に挿入して壁１０に固定できる。
したがって、外装材１３の取付後でも、鍔付きスリーブ１の取付位置を自由に設計でき、防水を保ちながら鍔付きスリーブ１を後付けできる。
【０００８】
請求項２に記載の発明は、請求項１に記載の鍔付きスリーブにおいて、
前記ポケット部４の外周縁部と、鍔部３の前記壁面１０ｃに固定される固定面３ａとの間には、前記筒部２の軸方向において隙間Ｓ１が設けられていることを特徴とする。
【０００９】
請求項２に記載の発明によれば、前記鍔部３を貫通孔１１の周囲の壁面１０ｃに固定する際に、ポケット部４または鍔部３をビス１５等の締め込み手段で締め込んで、ポケット部４を壁面１０ｃに押圧することによって、ポケット部４に充填されているコーキング材Ｋが壁面１０ｃに押付けられることで、より確実にコーキング材Ｋが壁面１０ｃに水密に密着するとともに、余剰のコーキング材Ｋが隙間Ｓ１から出るので、ポケット部４にコーキング材Ｋから過大な力が作用して、ポケット部４が変形したり破損することがない。また、隙間Ｓ１から出た余剰のコーキング材Ｋが前記隙間Ｓ１を閉塞するので、隙間Ｓ１から雨水等の水が侵入することもない。
【００１０】
請求項３に記載の発明は、請求項１または２に記載の鍔付きスリーブにおいて、
前記ポケット部４は、前記筒部２から鍔部３の径方向に所定間隔離間して設けられていることを特徴とする。
【００１１】
ポケット部４の筒部２からの離間距離は、筒部２とこれを挿入する壁１０に形成された貫通孔１１との間の隙間Ｓ２の大きさに応じて設定する。つまり、筒部２の一部を貫通孔１１の内周面の一部に当接した場合に、その当接部と径方向において対向する部位で、前記隙間Ｓ２が最大となる、つまり、筒部２と貫通孔１１とが最も離間する。したがって、この部位においてポケット部４が貫通孔１１の内周縁より外側の壁面１０ｃ上に位置するように、ポケット部４の筒部２からの離間距離を設定する。つまり、ポケット部４を、筒部２から鍔部３の径方向に所定間隔離間して設ける。
【００１２】
請求項３に記載の発明によれば、鍔付きスリーブ１の筒部２を貫通孔１１に挿入して、鍔部３を貫通孔１１の周囲の壁面１０ｃに固定する際に、筒部２と貫通孔１１との間の隙間Ｓ２によって、鍔付きスリーブ１の径方向における位置を調整するが、ポケット部４は筒部２から鍔部３の径方向に所定間隔離間して設けられているので、このポケット部４が隙間Ｓ１に開口するのを防止できる。したがって、ポケット部４に充填されているコーキング材Ｋが筒部３と貫通孔１１との間の隙間に漏れるのを防止できる。
【００１３】
請求項４に記載の発明は、請求項１〜３のいずれか一項に記載の鍔付きスリーブにおいて、
前記筒部２は、前記貫通孔１１に挿入される第１筒部２ａと、この第１筒部２ａに前記鍔部３を挟んで一体的に形成された第２筒部２ｂとを備え、
前記第１筒部２ａの外径は、前記第２筒部２ｂの外径より小さいことを特徴とする。
【００１４】
請求項４に記載の発明によれば、第１筒部２ａの外径が第２筒部２ｂの外径より小さいので、鍔付きスリーブ１を外装材１３に形成されている孔１４から挿入して、その筒部２を壁１０に形成されている貫通孔１１に挿入する際に、第１筒部２ａを孔１４から挿入して貫通孔１１に容易に挿入できる。
また、第２筒部２ｂが第１筒部２ａより大径であるので、第２筒部２ｂと外装材１３に形成されている孔１４との間の隙間を小さくでき、この隙間の防水処理が容易となるとともに、仕上げ上も隙間が目立たない。
【００１５】
請求項５に記載の発明は、例えば図４に示すように、請求項１〜４のいずれか一項に記載の鍔付きスリーブ１を壁（壁パネル）１０に形成された貫通孔１１に挿入して固定した鍔付きスリーブの固定構造であって、
前記壁１０には外装材１３が取付けられており、この外装材１３には、前記貫通孔１１に対向してこの貫通孔１１より大径の孔１４が形成さており、
前記ポケット部４にコーキング材Ｋが充填された前記鍔付きスリーブ１が前記孔１４から挿入されて、その筒部２が前記貫通孔１１に挿入されるとともに、前記鍔部３が前記貫通孔１１の周囲の壁面１０ｃに固定されており、
前記コーキング材Ｋは、前記鍔部３が前記貫通孔１１の周囲の壁面１０ｃに固定されることによって、前記壁面１０ｃに水密に密着していることを特徴とする。
【００１６】
ここで、鍔部３を壁面１０ｃに固定する場合、鍔部３の固定面３ａをビス等によって固定してもよいし、鍔部３のポケット部４をビス等によって固定してもよい。
【００１７】
請求項５に記載の発明によれば、鍔部３を貫通孔１１の周囲の壁面１０ｃに固定することによって、鍔部３のポケット部４に充填されているコーキング材Ｋが、壁面１０ｃに水密に密着しているので、壁１０に外装材１１が取付けられている場合でも、鍔部３と壁面１０ｃとの間に防水処理を確実に施して鍔付きスリーブ１を壁１０に形成された貫通孔に挿入して壁１０に固定できる。
【００１８】
請求項６に記載の発明は、例えば図４および図５に示すように、請求項１〜４のいずれかに記載の鍔付きスリーブ１を壁（壁パネル）１０に形成された貫通孔１１に挿入して固定する鍔付きスリーブの固定方法であって、
前記壁１０に外装材１３を取付け、この外装材１３に、前記貫通孔１１に対向してこの貫通孔１１より大径の孔１３を形成しておき、
前記鍔付きスリーブ１のポケット部４にコーキング材Ｋを充填し、
次に、この鍔付きスリーブ１を前記孔１４から挿入して、その筒部２を前記貫通孔１１に挿入するとともに、前記鍔部３を前記貫通孔１１の周囲の壁面１０ｃに固定して、前記コーキング材Ｋを前記壁面１０ｃに水密に密着させることを特徴とする。
【００１９】
請求項６に記載の発明によれば、ポケット部４にコーキング材Ｋが充填された鍔付きスリーブ１を外装材１３に形成されている孔１４から挿入して、その筒部２を壁１０に形成されている貫通孔１１に挿入するとともに、鍔部２を貫通孔１１の周囲の壁面１０ｃに固定して、コーキング材Ｋを壁面１０ｃに水密に密着させることによって、壁１０に外装材１１が取付けられている場合に、鍔部３と壁面１０ｃとの間に防水処理を確実に施して鍔付きスリーブ１を壁１０に形成された貫通孔１１に挿入して壁１０に固定できる。
したがって、外装材１３の取付後でも、鍔付きスリーブ１の取付位置を自由に設計でき、防水を保ちながら鍔付きスリーブ１を後付けできる。
【００２０】
【発明の実施の形態】
以下、図面を参照して本発明の実施の形態について説明する。
図１は本発明に係る鍔付きスリーブ１を示す側面図、図２は同正面図である。これらの図に示す鍔付きスリーブ１は、円筒状をなす筒部２と、この筒部２の基端部外周に設けられた鍔部３とを備えている。なお、本実施の形態では、筒部２の左端側を基端側、右端側を先端側とする。
【００２１】
筒部２は、壁に形成された貫通孔に挿入されるものであり、この貫通孔に挿入される第１筒部２ａと、この第１筒部２ａの基端部に鍔部３を挟んで一体的に形成された第２筒部２ｂとを備えており、これら第１筒部２ａと第２筒部２ｂとは同軸でかつ内径が等しいものとなっている。また、第１筒部２ａの外径は、第２筒部２ｂの外径より若干小さくなっている。さらに、筒部２の長さは壁（壁パネル）１０と、その表面側に取付けられた外装材１３と、裏面側に取付けられた耐火材１８とを合せた厚さより若干長くなっている（図４参照）。
【００２２】
鍔部３は貫通孔の周囲の壁面に固定されるものであり、ドーナツ円板状に形成され、筒部２に外挿されたうえで、筒部２の第１筒部２ａと第２筒部２ｂとの境目において点付け溶接Ｔによって固定されている。また、鍔部３の直径は、壁パネル１０に胴縁１２等を介して取付けられた外装材１３に形成された孔１４より若干小径になっている（図４参照）。
また、鍔部３の前記壁面に固定される部位の外周部には、ポケット部４が形成されている。このポケット部４は、コーキング材が充填されるものであり、鍔部３の周方向に沿って延在して形成されている。ポケット部４は横断面視略半円状の凹溝状に形成されている。
【００２３】
さらに、図３および図４に示すように、ポケット部４の外周縁部と、鍔部３の前記壁面に固定される固定面３ａとの間には、筒部２の軸方向において隙間Ｓ１が設けられている。つまり、ポケット部４の外周縁部は、鍔付きスリーブ１を壁１０に固定した際に、その壁面１０ｃから若干離れている。
また、ポケット部４は筒部２から鍔部３の径方向に所定間隔離間して設けられている。つまり、ポケット部４は鍔部３の内周縁から外側に所定間隔離間して設けられている。
また、ポケット部４には、このポケット部４を壁面１０ｃに固定するためのビス１５等の締め込み手段を挿入するための穴５が周方向に一定間隔で３つ形成されている。
【００２４】
次に、上記構成の鍔付きスリーブ１を壁１０に形成された貫通孔１１に挿入して固定した鍔付きスリーブの固定構造について図４を参照して説明する。
図４に示すように、本実施の形態では、壁１０は壁パネル１０で構成されている。壁パネル１０は、框材を矩形枠状に組立てることによって、矩形枠を形成し、この矩形枠の内部に縦横に補強桟材を組み付け、さらに矩形枠の表裏両面にそれぞれ合板等によって形成された面材１０ａ，１０ｂを貼着したものである。
【００２５】
この壁パネル１０には、その厚さ方向に貫通する貫通孔１１が形成されている。この貫通孔１１は鍔付きスリーブ１の筒部２の第１筒部２ａが挿入される孔であり、その内径は第１筒部２ａの外径より若干大きくなっている。
貫通孔１１は、現場や工場等で形成されるものであり、現場で形成する場合、例えば、壁パネル１０に形成されていた貫通孔を広げて形成される場合もあるし、壁パネル１０に新たに形成される場合もある。工場で形成する場合、貫通孔１１が形成された壁パネルに外装材１３を取付け、この外装材付き壁パネルを現場で組み立てる。
また、壁パネル１０の表面側には胴縁１２を介して外装材１３が取付けられており、この胴縁１２によって壁パネル１０と外装材１３との間には、所定の隙間が設けられている。
【００２６】
外装材１３には、孔１４が前記貫通孔１１に対向してほぼ同軸に形成されている。この孔１４は貫通孔１１より大径に形成されており、さらに、前記鍔付きスリーブ１の鍔部３の直径より若干大径となっている。
孔１４は、現場や工場等で形成されるものであり、現場で形成する場合、例えば、外装材１３に形成されていた孔を広げて形成される場合もあるし、外装材１３に新たに形成される場合もある。工場で形成する場合、孔１４が形成された外装材１３を壁パネル１０に取付け、この外装材付き壁パネルを現場で組み立てる。
【００２７】
鍔付きスリーブ１は孔１４から挿入されて、その筒部２の第１筒部２ａが壁パネル１０に形成されている貫通孔１１に挿入されるとともに、鍔部３が貫通孔１１の周囲の壁面１０ｃに固定されている。また、壁面１０ｃ上には、透湿防水シート１０ｄが取付けられている。
鍔部３に形成されているポケット部４には予めコーキング材Ｋが充填されており、このコーキング材Ｋは、鍔部３が貫通孔１１の周囲の壁面１０ｃに透湿防水シート１０ｄを挟んで固定されることによって、壁面１０ｃ上の透湿防水シート１０ｄに水密に密着している。
鍔部３を壁面１０ｃに固定するには、ポケット部４に形成された３つの穴５…にそれぞれビス１５を挿通して該ビス１５を壁パネル１０にねじ込むことによって行われている。ビス１５をねじ込んで締めこむと、ポケット部４が強固に壁面１０ｃに固定されるとともに、ポケット部４が壁面１０ｃに押圧されて、ポケット部４の外周縁部と、鍔部３の固定面３ａとの間に設けられた隙間Ｓ１から余剰のコーキング材Ｋが出る。
【００２８】
また、鍔付きスリーブ１の筒部２の第２筒部２ｂは、外装材１３に形成されている孔１４に挿入されており、この孔１４と第２筒部２ｂとの間は、バックアップ材１６とコーキング材１７とによって防水処理が施されている。
また、壁パネル１０の裏面には石膏ボード等によって形成された耐火材１８が貼着されており、この耐火材１８には孔１８ａが前記貫通孔１１と対向してほぼ同軸に形成されている。孔１８ａは貫通孔１１より大径のものであり、この孔１８ａに第１筒部２ａの先端部が挿入されている。そして、この孔１８ａと第１筒部２ａとの間は、コーキング材１９によって防水処理が施されている。
【００２９】
次に、鍔付きスリーブ１を壁パネル（壁）１０に形成された貫通孔１１に挿入して固定する鍔付きスリーブの固定方法について図４および図５を参照して説明する。
まず、図５に示すように、壁パネル１０には外装材１３が胴縁１２を介して取付けられており、この外装材１３には、貫通孔１１に対向してこの貫通孔１１より大径の孔１４が形成されている。
そして、鍔付きスリーブ１のポケット部４にコーキング材Ｋをポケット部４一杯となるように充填する。
次に、この鍔付きスリーブ１を孔１４から挿入して、図４に示すように、その筒部２の第１筒部２ａを貫通孔１１に挿入するとともに、鍔部３を貫通孔１１の周囲の壁面１０ｃに固定して、コーキング材Ｋを壁面１０ｃに水密に密着させる。
【００３０】
この場合、ポケット部４に形成された３つの穴５…にそれぞれビス１５を挿通して該ビス１５を壁パネル１０にねじ込み締めこむことによって、ポケット部４を強固に壁面１０ｃに固定し、これによって鍔付きスリーブ１を壁パネル１０に固定する。ビス１５を締め込むと、ポケット部４が壁面１０ｃに押圧されて、コーキング材Ｋが壁面１０ｃに透湿防水シート１０ｄを介して押付けられることで、より確実にコーキング材Ｋが壁面１０ｃの透湿防水シート１０ｄに水密に密着するとともに、余剰のコーキング材Ｋが前記隙間Ｓ１から出る。
したがって、ポケット部４にコーキング材Ｋから過大な力が作用して、ポケット部４が変形したり破損することがない。また、隙間Ｓ１から出た余剰のコーキング材Ｋが隙間Ｓ１を閉塞するので、隙間Ｓ１から雨水等の水が侵入することもない。
【００３１】
また、鍔付きスリーブ１の鍔部３を貫通孔１１の周囲の壁面１０ｃに固定する際に、筒部２の第１筒部２ａと貫通孔１１との間の隙間Ｓ２によって、鍔付きスリーブ１の径方向における位置を調整する。
この際、ポケット部４は筒部２から鍔部３の径方向に所定間隔離間して設けられているので、このポケット部４が隙間Ｓ２に開口するのを防止できる。したがって、ポケット部４に充填されているコーキング材Ｋが第１筒部２ａと貫通孔１１との間の隙間Ｓ２に漏れるのを防止できる。
【００３２】
上記のようにして鍔付きスリーブ１を壁パネル１０に固定した後、鍔付きスリーブ１の筒部２の第２筒部２ｂと、外装材１３に形成されている孔１４との間を、バックアップ材１６とコーキング材１７とによって防水処理する。
また、壁パネル１０の裏面においては、耐火材１８に形成されている孔１８ａに鍔付きスリーブ１の第１筒部２ａの先端部が挿入されているので、この第１筒部２ａの先端部と孔１８ａとの間を、コーキング材１９によって防水処理する。
【００３３】
このように、本実施の形態によれば、鍔付きスリーブ１の鍔部２に形成されたポケット部４にコーキング材Ｋを充填しておき、この鍔付きスリーブ１を外装材の孔１４から挿入して、その第１筒部２ａを壁パネル１０に形成されている貫通孔１１に挿入するとともに、鍔部３を貫通孔１１の周囲の壁面１０ｃに固定して、コーキング材Ｋを壁面１０ｃの透湿防水シート１０ｄに水密に密着させることによって、壁パネル１０に外装材１３が取付けられている場合に、鍔部３と壁面１０ｃとの間に防水処理を確実に施して鍔付きスリーブ１を壁パネル１０に形成された貫通孔１１に挿入して固定できる。
したがって、外装材１３の取付後でも、鍔付きスリーブ１の取付位置を自由に設計でき、防水を保ちながら鍔付きスリーブ１を後付けできる。
【００３４】
また、第１筒部１０ａの外径が第２筒部１０ｂの外径より小さいので、鍔付きスリーブ１を外装材１３に形成されている孔１４から挿入して、その筒２部を壁に形成されている貫通孔１１に挿入する際に、第１筒部２ａを孔１４から挿入して貫通孔１１に容易に挿入できる。
また、第２筒部２ｂが第１筒部２ａより大径であるので、第２筒部２ｂと外装材１３に形成されている孔１４との間の隙間を小さくでき、この隙間の防水処理つまり、バックアップ材１６とコーキング材１７とによる防水処理が容易となるとともに、仕上げ上も隙間が目立たない。
さらに、鍔付きスリーブ１のポケット部４をビス１５によって壁面１０ｃに締め込むようにしたので、ポケット部４内のコーキング材Ｋが壁面１０ｃに押付けられて密着するので、防水処理がより確実なものとなる。
【００３５】
なお、本実施の形態では、鍔付きスリーブ１を使用した場合を例にとって説明したが、図６に示すような鍔付きスリーブ２１を使用してもよい。
この鍔付きスリーブ２１は、円筒状をなす筒部２２と、この筒部２２の基端部外周に設けられる鍔部２３とを樹脂で一体成形したものである。
本例では筒部２２は、同径の円筒状のものであるが、前記鍔付きスリーブ１のように、鍔部２３を境にして外径が異なるような円筒状のものとしてもよい。
鍔部２３の直径は、壁パネルに取付けられた外装材に形成された孔より若干小径になっている。
また、鍔部２３の外周部には、ポケット部２４が形成されている。このポケット部２４は、コーキング材が充填されるものであり、鍔部２３の周方向に沿って延在して形成されている。ポケット部２４は横断面視略矩形の凹溝状に形成されている。
【００３６】
さらに、ポケット部２４の外周縁部と、鍔部２３の壁面に固定される固定面２３ａとの間には、筒部２２の軸方向において隙間Ｓ１が設けられている。つまり、ポケット部２４の外周縁部は、鍔付きスリーブ２１を壁に固定した際に、その壁面から若干離れるようになっている。
また、ポケット部２４は筒部２２から鍔部２３の径方向に所定間隔離間して設けられている。つまり、ポケット部２４は鍔部２３の内周縁から外側に所定間隔離間して設けられている。
また、ポケット部２４には、このポケット部２４を壁面に固定するためのビス１５等の締め込み手段を挿入するための穴が周方向に一定間隔で形成されている。
さらに、鍔部２３の内周縁部には、凹溝２５が周方向に沿って形成されている。この凹溝２５は壁パネル等に孔を形成した際に生じるバリを逃がすためのものである。
【００３７】
このような構成の鍔付きスリーブ２１は、前記鍔付きスリーブ１と同様にして使用されるので、鍔付きスリーブ１の場合と同様の効果を得ることができる。また、鍔付きスリーブ２１は樹脂による一体成形のものであるので、安価に製造でき、また、上記のようなバリを逃がすための凹溝２５も容易に形成できる。
【００３８】
【発明の効果】
以上説明したように、請求項１、請求項５および請求項６に記載の発明によれば、鍔付きスリーブのポケット部にコーキング材を充填しておき、この鍔付きスリーブを外装材に形成されている孔から挿入して、その筒部を壁に形成されている貫通孔に挿入するとともに、鍔部を貫通孔の周囲の壁面に固定して、コーキング材を壁面に水密に密着させることによって、壁に外装材が取付けられている場合に、鍔部と壁面との間に防水処理を確実に施して鍔付きスリーブを壁に形成された貫通孔に挿入して壁に固定できる。したがって、外装材の取付後でも、鍔付きスリーブの取付位置を自由に設計でき、防水を保ちながら鍔付きスリーブを後付けできる。
【００３９】
請求項２に記載の発明によれば、鍔付きスリーブの鍔部を貫通孔の周囲の壁面に固定する際に、ポケット部または鍔部をビス等の締め込み手段で締め込んで、ポケット部を壁面に押圧することによって、ポケット部に充填されているコーキング材が壁面に押付けられることで、より確実にコーキング材が壁面に水密に密着する。
また、ポケット部を壁面に押圧することによって、余剰のコーキング材が隙間から出るので、ポケット部にコーキング材から過大な力が作用して、ポケット部が変形したり破損することがない。また、隙間から出た余剰のコーキング材が前記隙間を閉塞するので、隙間から雨水等の水が侵入することもない。
【００４０】
請求項３に記載の発明によれば、鍔付きスリーブの筒部と壁に形成されている貫通孔との間の隙間によって、鍔付きスリーブの径方向における位置を調整するが、ポケット部は筒部から鍔部の径方向に所定間隔離間して設けられているので、このポケット部が隙間に開口するのを防止でき、よって、ポケット部に充填されているコーキング材が筒部と貫通孔との間の隙間に漏れるのを防止できる。
【００４１】
請求項４に記載の発明によれば、第１筒部の外径が第２筒部の外径より小さいので、第１筒部を孔から挿入して貫通孔に容易に挿入できる。
また、第２筒部が第１筒部より大径であるので、第２筒部と外装材に形成されている孔との間の隙間を小さくでき、この隙間の防水処理が容易となるとともに、仕上げ上も隙間が目立たない。
【００４２】
【図面の簡単な説明】
【図１】本発明に係る鍔付きスリーブの一例を示すもので、側面図である。
【図２】同、正面図である。
【図３】図１におけるＸ円部の拡大図である。
【図４】本発明に係る鍔付きスリーブの固定構造の一例を示すもので、側断面図である。
【図５】本発明に係る鍔付きスリーブの固定方法の一例を説明するもので、側断面図である。
【図６】本発明に係る鍔付きスリーブの他の例を示す側断面図である。
【符号の説明】
１，２１  鍔付きスリーブ
２，２２  筒部
２ａ  第１筒部
２ｂ  第２筒部
３，２３  鍔部
３ａ，２３ａ  固定面
４，２４  ポケット部
１０  壁パネル（壁）
１０ｃ  壁面
１１  貫通孔
１３  外装材
１４  孔
Ｋ  コーキング材
Ｓ１  隙間
【図１】
2005009561.tif 000003
【図２】
2005009561.tif 000004
【図３】
2005009561.tif 000005
【図４】
2005009561.tif 000006
【図５】
2005009561.tif 000007
【図６】
2005009561.tif 000008